(57)【要約】  ブルートゥース能力及びソフトウェア実施可能性を持つ少なくとも一つの携帯電話（１）；インターネット接続を提供する少なくとも一つのブルートゥースアクセスポイント（６）；ＰＳＴＮ，ＧＳＭ，ＶＯＩＰなどの形でコール接続を提供する少なくとも一つのインターネット接続されたＶＯＩＰサーバー（８）；及びコールセンターとして機能し、かつ携帯電話（１）とブルートゥースアクセスポイント（６）の間のブルートゥース接続（５）を介して及びインターネット（７）を介して、出ていく通信及び入ってくる通信を、コール接続を制御するＶＯＩＰサーバー（８）へ及び前記ＶＯＩＰサーバー（８）から導くように制御するソフトウェア実施クライアント（１１，１２，１３，１８）を含むことを特徴とする通信システム。これは低価格又は無料で電話する可能性を提供する。【選択図】図５
2011517522.tif 000002
【特許請求の範囲】
【請求項１】
以下のものを含むことを特徴とする通信システム：
−ブルートゥース能力及びソフトウェア実施可能性を持つ少なくとも一つの携帯電話（１）；
−インターネット接続を提供する少なくとも一つのブルートゥースアクセスポイント（６）；
−ＰＳＴＮ，ＧＳＭ，ＶＯＩＰなどの形でコール接続を提供する少なくとも一つのインターネット接続されたＶＯＩＰサーバー（８）；及び
−コールセンターとして機能し、かつ携帯電話（１）とブルートゥースアクセスポイント（６）の間のブルートゥース接続（５）を介して及びインターネット（７）を介して、出ていく通信及び入ってくる通信を、コール接続を制御するＶＯＩＰサーバー（８）へ及び前記ＶＯＩＰサーバー（８）から導くように制御するソフトウェア実施クライアント（１１，１２，１３，１８）。
【請求項２】
携帯電話（１）がシンビアン又は他の非プロプラエタリＯＳを有し、それが完全なソフトウェア実施クライアントを取扱うことができ、完全なソフトウェア実施クライアント（１３，１８）が携帯電話（１）に設置され、それによりブルートゥースアクセスポイント（６）がインターネットに接続する簡単な非専用ブルートゥースアクセスポイントであることができることを特徴とする請求項１に記載の通信システム。
【請求項３】
携帯電話（１）がプロプラエタリソフトウェアを有し、ソフトウェア実施クライアント（１２）の大部分が専用ブルートゥースアクセスポイント（６）に設置され、小部分（１１）がＪＡＶＡ（登録商標）又は類似物を使用して携帯電話（１）に設置されることを特徴とする請求項１に記載の通信システム。
【請求項４】
ソフトウェア実施クライアント（１３，１８）が、ブルートゥースインターネット接続（５，６）の存在を検出し、その検出でこのブルートゥース接続（５，６）を介してコールを導くためのモジュールを含むことを特徴とする請求項２に記載の通信システム。
【請求項５】
ソフトウェア実施クライアント（１３，１８）が、ボイスオーバーインターネットプロトコルを介してコールを受ける可能性を開くために携帯電話（１）のインターネットアドレスを記録するためのモジュールを含むことを特徴とする請求項４に記載の通信システム。
【請求項６】
ＶＯＩＰサーバー（１７）が、ブルートゥースアクセス（６）が存在しないときにコールバックセルＧＳＭ接続を提供するためのコールバックモジュールを含み、前記コールバックセル接続が、ＶＯＩＰサーバー（１７）へのＳＭＳメッセージ又はＧＰＲＳコマンドの形でクライアントによって送られたリクエスト（１４）によって与えられ、前記コールバックセル接続が携帯電話（１）のための通常のセル接続より低いコストであることを特徴とする請求項１〜５のいずれかに記載の通信システム。
【請求項７】
ＶＯＩＰ，ＰＳＴＮ又はＧＳＭを使用するＶＯＩＰサーバー（１７）から宛先の方への接続の提供をさらに含み、これらの異なる可能性を使用するための決定が最も安価な接続の提供に基づくことを特徴とする請求項６に記載の通信システム。
【請求項８】
以下の工程を含むことを特徴とするブルートゥース能力及びソフトウェア実施可能性を持つ携帯電話（１）からのコール接続を提供する方法：
ａ）インターネット（７）に接続する少なくとも一つのブルートゥースアクセスポイント（６）を提供する；
ｂ）ＰＳＴＮ，ＧＳＭ，ＶＯＩＰなどの形でコール接続を確立するための少なくとも一つのインターネット接続されたＶＯＩＰサーバー（８）を提供する；及び
ｃ）前記携帯電話（１）においてソフトウェア実施クライアント（１１，１２，１３，１８）を提供する、但し、前記クライアント（１１，１２，１３，１８）はインターネットに接続するためにアクセス可能なブルートゥースアクセスポイントの存在を連続的に検出し、かかる検出されたアクセスポイントを介してＩＰアドレスを確立し、それによって携帯電話（１）への接続及び携帯電話（１）からの接続がブルートゥース、前記ＩＰアドレス及び前記ＶＯＩＰサーバーを使用して確立されることができる。
【請求項９】
ＶＯＩＰサーバーにおいてコールバックモジュールを提供する工程を含み、ブルートゥースアクセスポイントが検出されることができないとき、クライアント（１１，１２，１３，１８）が携帯電話のＧＳＭ能力を使用してコールバックモジュールにＳＭＳメッセージを送り、前記ＳＭＳメッセージは所望の接続に関する情報を含み、前記コールバックモジュールは宛先への接続及び携帯電話（１）へのコールバックを提供することを特徴とする請求項８に記載の方法。
【請求項１０】
コールバックモジュールが、コールに対する最も低いコストの接続をサーチするようにプログラムされていることを特徴とする請求項９に記載の方法。
【発明の詳細な説明】
【技術分野】
【０００１】
本発明は、インターネット接続が利用可能になるときにいつでもインターネットを介して低コスト通信を提供する通信システムに関する。
【背景技術】
【０００２】
この種の通信システムでは、ＷｉＦｉホットスポット、インターネットに接続されたコンピュータなどを使用してボイスオーバーインターネットプロトコルを提供することが知られている。かかるシステムの一例は、良く知られたＳｋｙｐｅ（登録商標）の概念である。しかしながら、それは、セットアップされるコールの両端がインターネット接続されたＰＣからなることを要求する。別の例では、一方の端接続はいわゆるＳｋｙｐｅＯｕｔ（登録商標）（即ち、通常のＰＳＴＮ電話又はＧＳＭ携帯電話へのローカル接続を提供すること）を使用して提供される。
【発明の概要】
【０００３】
従来技術に基づいて、本発明の目的は、携帯電話（前記携帯電話は、ＰＣを携帯電話と関連したインターネットに接続することを必要とせずにブルートゥース能力を有する）、ＰＤＡ又は類似物で実施されることができる通信システムを提供し、さらに、私的又は公的ホットスポットにかかわらずブルートゥースインターネットアクセスポイントの存在のみを要求し、かつ携帯電話から所望の宛先への低コスト又は無料の通信を自動的に提供するユーザーフレンドリーなシステムを確立することにある。この目的は、前記種類の通信システムで達成され、それは、本発明によれば、請求項１に述べられた特徴を含む。このシステムを用いると、携帯電話への通信及び携帯電話からの通信は、ユーザーが所望の宛先への接続を得るための機能を妨げる必要がないような方法でソフトウェア実施クライアントによって制御され、通信は、携帯電話のＧＳＭ機能に関連するいかなるコストもなしでブルートゥースのようなライセンスフリーの周波数を使用して構成される。
【０００４】
もし携帯電話がシンビアン又は他の非プロプラエタリ、例えばウィンドウズ（登録商標）携帯プラットフォームを持つなら、ソフトウェア実施クライアントは携帯電話に設置されることができる。しかしながら、もし携帯電話がプロプラエタリソフトウェアを実行する古いタイプの携帯電話であるなら、ソフトウェア実施クライアントの大部分は専用ブルートゥースアクセスポイントに設置されなければならず、ソフトウェア実施クライアントの小部分だけがＪＡＶＡ（登録商標）又は類似物を使用して携帯電話に設置される。
【図面の簡単な説明】
【０００５】
本発明の以下の詳細な部分において、本発明は、図面に示された発明に従って通信システムの例示的な実施形態を参照してより詳細に説明されるだろう。
【０００６】
【図１】図１は、本発明による通信システムを概略的に示す。
【０００７】
【図２】図２は、携帯電話におけるＪＡＶＡ（登録商標）クライアント及びビルトインボイスオーバーインターネットプロトコルクライアントを有するブルートゥースアクセスポイントを使用する本発明の第一態様による通信接続の提供を概略的に示す。ブルートゥースヘッドセットは音声のために使用される。
【０００８】
【図３】図３は、携帯電話におけるシンビアンＶＯＩＰクライアント及び簡単なブルートゥースインターネットアクセスポイントを使用する本発明の第二態様による通信接続の提供を概略的に示す。
【０００９】
【図４】図４は、ブルートゥースアクセスポイントが利用可能でなく、ＶＯＩＰサーバーにおけるコールバック機能が携帯電話とＶＯＩＰサーバーの間の、さらに所望の宛先への低コストＧＳＭ接続を提供する状況下の通信接続の提供を示す。
【００１０】
【図５】図５は、本発明によって提供される多数の起こりうる接続可能性を実施する通信システムの全体図を概略的に示す。
【発明を実施するための形態】
【００１１】
図１に概略的に示された通信システムは、マイクロホン２、ラウドスピーカ３、キーボード４及びブルートゥース接続システム５を含む携帯電話１を含み、前記携帯電話１は、携帯電話１のためのインターネット接続７を提供するブルートゥースアクセスポイント６に接続可能である。さらに宛先への接続を提供するために、ボイスオーバーインターネットプロトコルサーバー８がインターネットにおいて提供され、前記サーバーは携帯電話１を所望の宛先に接続するように機能する。
【００１２】
図２では、プロプラエタリソフトウェアを実行する古いタイプの携帯電話のための通信構成が概略的に示されている。携帯電話はＪＡＶＡ（登録商標）ソフトウェアクライアント１１を提供され、それはサービスプロバイダーから直接ダウンロードすることによって又はパーソナルコンピュータから移動することによって伝統的な方法で携帯電話に設置される。設置されたソフトウェアクライアント１１はブルートゥースアクセスポイント６への接続５を確立し、それによってデータは携帯電話１とアクセスポイント６の間で移動されることができる。携帯電話１におけるソフトウェアクライアント１１はアクセスポイント６における機能の遠隔制御を提供し、前記アクセスポイントはビルトインＶＯＩＰクライアント１２を有し、それはインターネット７を介してＶＯＩＰサーバー８への接続を提供することができる。携帯電話１から電話をするとき、携帯電話１におけるソフトウェア１１は、ビルトインＶＯＩＰクライアント１２がインターネット７及びＶＯＩＰサーバー８を介して所望の宛先に電話するためにブルートゥース接続５を介してアクセスポイント６にデータを送る。ＶＯＩＰサーバー８は公衆交換電話網（ＰＳＴＮ）９に接続され、それによって携帯電話１はいかなる普通の電話にも電話することができ、いかなる普通の電話も携帯電話１に電話することができる。接続が携帯電話１と所望の宛先の間で確立されるとすぐに、ブルートゥース音声接続５がアクセスポイント６とブルートゥースヘッドセット１０の間で提供され、携帯電話１とアクセスポイント６の間のデータ接続５は携帯電話１とアクセスポイント６とインターネット７の間のＳＭＳ又は他のデータに基づく情報を送ることができるために開いたままである。
【００１３】
携帯ｊａｖａの限られた機能及び古い携帯電話１の能力のため、ＶＯＩＰ機能性全体がアクセスポイント６に位置されるだろう。Ｊａｖａ（登録商標）クライアント１１の機能性はアクセスポイント６の遠隔制御を持つだろう。ｊａｖａを通して携帯電話１の音声装置を制御することは現時点で可能ではなく、それゆえエンドユーザは音声通信のためのブルートゥースヘッドセット１０を使用しなければならないだろう。
【００１４】
図３では、図２に示されたような対応する状況が示されているが、携帯電話１は非プロプラエタリＯＳシステムを実行し、従ってＶＯＩＰを提供するソフトウェアクライアント１３は携帯電話１に完全に設置され、ブルートゥースアクセスポイント６はソフトウェアクライアントのいかなる部分も設置される必要はなく、ＶＯＩＰ接続の提供に機能的に関係せずにアクセスポイントとして機能するだけであるだろう。携帯電話１に設置されたソフトウェアクライアント１３はブルートゥースアクセスポイント６への接続を提供し、携帯電話はブルートゥース接続を介してＩＰアドレスを受ける。このＩＰアドレスを介してソフトウェアはインターネット７を介してＶＯＩＰサーバー８への接続を提供し、このサーバー８は公衆交換電話網（ＰＳＴＮ）９に接続され、それによって携帯電話１はいかなる普通の電話にも電話することができ、いかなる普通の電話も携帯電話に電話することができる。
【００１５】
接続が携帯電話１とＶＯＩＰサーバー８の間で確立されるとすぐに、コール接続性が携帯電話１とＰＳＴＮ９の間で提供される。
【００１６】
ブルートゥース接続５が携帯電話のために利用可能でない状況では、携帯電話は、標準ＧＳＭネットワーク１６へのＳＩＭカードを与えられるとき、ＳＭＳ又はＧＰＲＳリクエスト１４をインターネットベースのサーバー１７に送ることができ、前記サーバー１７は、受けとったＳＭＳ／ＧＰＲＳデータ１４に基づいて、所望の宛先１５へのコール及び携帯電話１へのコールバックを提供し、従って低い価格で宛先１５と携帯電話１の間の接続を提供する。
【００１７】
図４に示されるように、この状況は、ＧＳＭネットワーク１６を使用してＳＭＳ又はＧＰＲＳリクエスト１４をインターネットベースのサーバー１７へ送る携帯電話１によって取扱われ、このリクエストにおける情報に基づいてインターネットサーバー１７はＶＯＩＰ，ＰＳＴＮ，ＧＳＭなどを使用する宛先１５への接続、及び携帯電話１へのコールバックを提供し、それによっておそらくサーバー１７と携帯電話１の間のＧＳＭ接続のための特別な低価格によって減額された価格で宛先と携帯電話の間の接続が確立される。
【００１８】
さらに、価格はインターネットサーバー１７と宛先１５の間の接続を選択することによって好適に減額されることができる。
【００１９】
ＧＳＭキャリアと期間及び価格を交渉するとき、通常、特定の低コスト構造を交渉することができ、従って、自身の加入間（即ち、固定から携帯へ、又は携帯から固定へ）を低い価格で通信することができるだろう。この低コストモデルを使用することによって、低コストコールバックラインを開き、これを使用してＶＯＩＰサーバーを通してダイヤルすることができるだろう。
【００２０】
図５では、本発明による通信システムを提供する全システムの概括を与えるためにより完全なシステムが概略的に示されている。このシステムは携帯電話１を含み、それはブルートゥースアクセスポイント６に接続されることができ、それはＶＯＩＰサーバー２４へのインターネット接続を提供し、それはさらにＰＳＴＮゲートウェイ２０を介して公衆交換電話網２２への接続を提供する。もしブルートゥースアクセスポイント６への接続が携帯電話１のために利用可能でないなら、携帯電話１に設置されたクライアント１１，１３，１８はＳＭＳ又はＧＰＲＳリクエスト１４をコールバックサーバー１７に送り、それはＰＳＴＮゲートウェイ２０に対して減額された価格で宛先１５にコールし、携帯電話１にコールバックすることを要求する。
【００２１】
本発明は、ブルートゥース能力を有し、かつソフトウェア実施クライアントを設置するためのシンビアン又は他の非プロプラエタリ操作システムを有する携帯電話を使用する可能性を提供し、それによって携帯電話は、携帯電話のブルートゥース能力によってアクセス可能な存在するブルートゥースアクセスポイントを介していかなる出ていくコールも自動的に提供しようとする。この点に関して、ソフトウェア実施クライアントは、ブルートゥースアクセスポイント接続をエミュレートし、携帯電話のためのＩＰアドレスを提供し、ブルートゥース接続をもたらし、ＷｉＦｉ，ＤＵＮ（ダイヤルアップネットワーク）などのＩＰアドレスを有する他のいかなるデータ通信接続としても機能する可能性を提供する。
【００２２】
使用時には、通信システムは、ブルートゥース能力を有しかつソフトウェア実施クライアントを設置された携帯電話１のためのコール接続を提供する。ソフトウェア実施クライアントは、ブルートゥースアクセスポイント６の存在を検出する可能性を提供し、インターネット中の携帯電話１をＩＰアドレスで記録するためにかかるアクセスポイントへの接続を提供する。このＩＰアドレスを使用すると、携帯電話からの接続及び携帯電話への接続はインターネットにおけるＶＯＩＰサーバー８を通して提供されることができ、前記ＶＯＩＰサーバー８はＰＳＴＮ，ＧＳＭ，ＶＯＩＰ、及び可能な他のタイプのコール接続のいずれかの形でコール接続を確立する。あちこち動きまわるとき、携帯電話１に設置されたクライアントは、インターネットへの接続を有するブルートゥースアクセスポイントへの可能なアクセスの検出を連続的に実施し、従って、携帯電話からの接続及び携帯電話への接続が前記ＶＯＩＰサーバー８及びソフトウェア実施クライアントによる制御下でブルートゥース接続及びＩＰアドレスを使用して確立されるように、インターネット中のＩＰアドレスで記録されることを連続的に試みようとする。
【００２３】
ブルートゥースアクセスポイントが検出されず、携帯電話が電話をするように指示される場合に、ソフトウェア実施クライアントはＳＭＳメッセージをＶＯＩＰサーバー８におけるコールバックモジュールに自動的に送ることができ、前記ＳＭＳメッセージは所望のコールに関する情報を含み、このメッセージに基づいてＶＯＩＰサーバー８におけるコールバックモジュールは所望の宛先への接続を確立し、携帯電話１へのコールバックを実施して携帯電話１と所望の宛先の間の前記接続を行なう。この点に関して、ＶＯＩＰサーバー８コールバックモジュールは、コールに対する最も低いコストの接続をサーチするようにプログラムされていることが好ましい。
【図１】
2011517522.tif 000003
【図２】
2011517522.tif 000004
【図３】
2011517522.tif 000005
【図４】
2011517522.tif 000006
【図５】
2011517522.tif 000007
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
以下のものを含むことを特徴とする通信システム：
−ブルートゥース能力及びシンビアン又は他の非プロプラエタリＯＳを持つ少なくとも一つの携帯電話（１）；
−インターネット接続を提供する少なくとも一つのブルートゥースアクセスポイント（６）；
−ＰＳＴＮ，ＧＳＭ，ＶＯＩＰなどの形でコール接続を提供する少なくとも一つのインターネット接続されたＶＯＩＰサーバー（８）；及び
−コールセンターとして機能し、かつ携帯電話（１）とブルートゥースアクセスポイント（６）の間のブルートゥース接続（５）を介して及びインターネット（７）を介して、出ていく通信及び入ってくる通信を、コール接続を制御するＶＯＩＰサーバー（８）へ及び前記ＶＯＩＰサーバー（８）から導くように制御する、携帯電話（１）に設置されたソフトウェア実施クライアント（１１，１２，１３，１８）。
【請求項２】
以下のものを含むことを特徴とする通信システム：
−ブルートゥース能力及びプロプラエタリソフトウェアを持つ少なくとも一つの携帯電話（１）；
−インターネット接続を提供する少なくとも一つのブルートゥースアクセスポイント（６）；
−ＰＳＴＮ，ＧＳＭ，ＶＯＩＰなどの形でコール接続を提供する少なくとも一つのインターネット接続されたＶＯＩＰサーバー（８）；及び
−コールセンターとして機能し、かつ携帯電話（１）とブルートゥースアクセスポイント（６）の間のブルートゥース接続（５）を介して及びインターネット（７）を介して、出ていく通信及び入ってくる通信を、コール接続を制御するＶＯＩＰサーバー（８）へ及び前記ＶＯＩＰサーバー（８）から導くように制御するソフトウェア実施クライアント（１１，１２，１３，１８）、但し、ソフトウェア実施クライアント（１２）の大部分が専用ブルートゥースアクセスポイント（６）に設置され、小部分（１１）がＪＡＶＡ（登録商標）又は類似物を使用して携帯電話（１）に設置される。
【請求項３】
ソフトウェア実施クライアント（１３，１８）が、ブルートゥースインターネット接続（５，６）の存在を検出し、その検出でこのブルートゥース接続（５，６）を介してコールを導くためのモジュールを含むことを特徴とする請求項１に記載の通信システム。
【請求項４】
ソフトウェア実施クライアント（１３，１８）が、ボイスオーバーインターネットプロトコルを介してコールを受ける可能性を開くために携帯電話（１）のインターネットアドレスを記録するためのモジュールを含むことを特徴とする請求項３に記載の通信システム。
【請求項５】
ＶＯＩＰサーバー（１７）が、ブルートゥースアクセス（６）が存在しないときにコールバックセルＧＳＭ接続を提供するためのコールバックモジュールを含み、前記コールバックセル接続が、ＶＯＩＰサーバー（１７）へのＳＭＳメッセージ又はＧＰＲＳコマンドの形でクライアントによって送られたリクエスト（１４）によって与えられ、前記コールバックセル接続が携帯電話（１）のための通常のセル接続より低いコストであることを特徴とする請求項１〜４のいずれかに記載の通信システム。
【請求項６】
ＶＯＩＰ，ＰＳＴＮ又はＧＳＭを使用するＶＯＩＰサーバー（１７）から宛先の方への接続の提供をさらに含み、これらの異なる可能性を使用するための決定が最も安価な接続の提供に基づくことを特徴とする請求項５に記載の通信システム。
【請求項７】
以下の工程を含むことを特徴とするブルートゥース能力及びソフトウェア実施可能性を持つ携帯電話（１）からのコール接続を提供する方法：
ａ）インターネット（７）に接続する少なくとも一つのブルートゥースアクセスポイント（６）を提供する；
ｂ）ＰＳＴＮ，ＧＳＭ，ＶＯＩＰなどの形でコール接続を確立するための少なくとも一つのインターネット接続されたＶＯＩＰサーバー（８）を提供する；及び
ｃ）前記携帯電話（１）においてソフトウェア実施クライアント（１１，１２，１３，１８）を提供する、但し、前記クライアント（１１，１２，１３，１８）はインターネットに接続するためにアクセス可能なブルートゥースアクセスポイントの存在を連続的に検出し、かかる検出されたアクセスポイントを介してＩＰアドレスを確立し、それによって携帯電話（１）への接続及び携帯電話（１）からの接続がブルートゥース、前記ＩＰアドレス及び前記ＶＯＩＰサーバーを使用して確立されることができる。
【請求項８】
ＶＯＩＰサーバーにおいてコールバックモジュールを提供する工程を含み、ブルートゥースアクセスポイントが検出されることができないとき、クライアント（１１，１２，１３，１８）が携帯電話のＧＳＭ能力を使用してコールバックモジュールにＳＭＳメッセージ又はＧＰＲＳコマンドを送り、前記ＳＭＳメッセージ又はＧＰＲＳコマンドは所望の接続に関する情報を含み、前記コールバックモジュールは宛先への接続及び携帯電話（１）へのコールバックを提供することを特徴とする請求項７に記載の方法。
【請求項９】
コールバックモジュールが、コールに対する最も低いコストの接続をサーチするようにプログラムされていることを特徴とする請求項８に記載の方法。
【国際調査報告】
2011517522.tif 000008
2011517522.tif 000009
2011517522.tif 000010